(57)【要約】【課題】メモリカード用ソケットにおいて、部品点数を増やすことなく簡単な構成により、メモリカードが傾いて押し込まれることを未然に防止し、かつ、コンタクトが変形したりするのを抑制し、スライダーが不用意にロックされることを防止する。【解決手段】ハウジングのベースシェル２の両側壁の開口端側に幅方向内方にスライダー４の抜け止めを図るストッパ２ｃ，２ｄが設けられ、このストッパ２ｃ，２ｄは、スライダー４の内幅Ｄと同等の幅まで延伸され、ストッパ２ｃ，２ｄの先端側を内方に曲げてスライダー４の入口案内テーパ４ｅ，４ｆに沿わせるような形状にした。このストッパ２ｃ，２ｄが在ることにより、大きく傾いた状態のメモリカードＢの挿入が防止される。【選択図】図６
2005353517.tif 000002
【特許請求の範囲】
【請求項１】
一側面が開口した扁平な箱形に形成され、開口からメモリカードがスライドして挿抜されるハウジングと、ハウジングに保持され、回路基板の導電パターンに電気的に接続されると共にメモリカードに設けた接続端子に接触する複数本のコンタクトを持つ端子板ブロックと、ハウジング内においてスプリングにより前方に付勢され、挿抜されるメモリカードを保持してスライド移動するスライダーとを備えたメモリカード用ソケットにおいて、
前記ハウジングは、互いに被着されるシェルとベースシェルとから構成され、該ベースシェルの両側壁の開口端側に、両側壁から幅方向内方に延伸され、前記スライダーの抜け止めを図るストッパが一体的に設けられ、
前記スライダーは、メモリカード幅と略同等の内幅を持つ両側壁を持ち、両側壁の開口端側に入口案内テーパが形成されており、
前記ストッパは、前記スライダーの内幅と同等の幅まで延伸され、該ストッパの先端側を内方に曲げて前記スライダーの入口案内テーパに沿わせるような形状にしたことを特徴とするメモリカード用ソケット。
【請求項２】
メモリカードは、その前端寄りの片側を落として逆差し防止用の切欠部を持ち、前端寄り裏面に接続端子が設けられ、
前記スライダーは、その両側壁が前記メモリカードの切欠部を含む外形に対応した形状とされ、かつ保持したメモリカードの裏面に配置された接続端子に対面する位置に窓が設けられた一体樹脂成形品であることを特徴とするメモリカード用ソケット。
【発明の詳細な説明】
【技術分野】
【０００１】
本発明は、ＳＤメモリカードのようなメモリカードを挿抜自在に接続するためのソケットに関する。
【背景技術】
【０００２】
従来から、メモリカードと回路基板とを接続するメモリカード用ソケット（以下、ソケットと略称する）が各種知られている（特許文献１参照）。この種のソケットの一例を図９及び図１０を参照して説明する。ソケットＡは、ｍｉｎｉＳＤメモリカードのようなメモリカードＢに用いるものであり、金属製ベースシェル２及び金属製シェル３からなるハウジング１と、挿抜されるメモリカードＢを保持するスライダー４と、このスライダー４を前方へ付勢するコイルスプリング５と、ベースシェル２に保持された複数本のコンタクト６を持つ端子板ブロック７と、スライダー４を係止するためのロックピン８などで構成されている。ハウジング１は、スライダー４、コイルスプリング５及び端子板ブロック７などを保持させたベースシェル２にシェル３を嵌め合わせることで形成される。
【０００３】
スライダー４は、ベースシェル２の左右両側壁２ａ，２ｂの内面に沿って移動自在に配置され、スライダー４の左右両側にメモリカードＢを案内する側壁４ｃ，４ｄが設けられている。ベースシェル２の左右両側壁２ａ，２ｂの前端部に、スライダー４の抜け止めのためのストッパ２ｃ，２ｄが設けられている。これらストッパ２ｃ，２ｄにスライダー４の側壁４ｃ，４ｄの前端がそれぞれ当接することでスライダー４の抜け止めが成されている。
【０００４】
メモリカードＢは、前端寄り片側に切り込み部１０を持ち、メモリカードＢを案内するスライダー４の両側壁４ｃ，４ｄは、切り込み部１０に対応した形状とされている。メモリカードＢをソケットＡの前面開口９より挿入する時には、スライダー４が挿入されるメモリカードＢによって押されることで、コイルスプリング５の付勢に抗して後方移動し、メモリカードＢの裏面に設けた接続端子１２（図１１参照）がスライダー４の窓部４ａを通してコンタクト６に接する所定位置で挿入力が解除されると、コイルスプリング５の付勢とロックピン８の軸部の係合とでスライダー４がロックされるようなっている。
【０００５】
ソケットＡに挿着したメモリカードＢを取り外す際には、一旦メモリカードＢを挿入方向（後方）に押すことで、周知のカム機構によりロックピン８の軸部の係合状態が解除され、その後、メモリカードＢを押す力が無くなると、コイルスプリング５の付勢力でスライダー４が前方へ移動してメモリカードＢを押し出すようになっている。
【特許文献１】特開２００４−８７２９８号公報
【発明の開示】
【発明が解決しようとする課題】
【０００６】
ところで、この種のメモリカード用ソケットＡにおいて、メモリカードＢがソケットＡの前面開口９に斜めに傾いて挿入されたときに不具合が生じる。その様子を図１１（ａ）（ｂ）に示す。図１１（ａ）はメモリカードＢを斜めに挿入し始めた状態を示し、（ｂ）はもう少しメモリカードＢを押し込んだ状態を示す。メモリカードＢの幅と略同等の内幅Ｄを持つスライダー４の側壁４ｃ，４ｄの前端には、メモリカード案内用のテーパ４ｅ，４ｆが設けられ、ソケットＡの前面開口９（図１参照）の左右端に位置するストッパ２ｃ，２ｄは、テーパ４ｅ，４ｆの左右外側に位置する。従って、ストッパ２ｃ，２ｄの内幅は、メモリカードＢの幅よりもかなり大きい。また、メモリカードＢは、左前角部を落とした逆差し防止用の切欠部１０を持つ。このため、図１１（ａ）に示すように、メモリカードＢは前面開口９に対して大きく傾いて挿入される場合がある。
【０００７】
この状態でメモリカードＢが押し込まれると、メモリカードＢの左側前端でスライダー４の側壁の当接部４ｇ（切り込み部１０に対応して突出している）を押すので、図１１（ｂ）に示す状態まで、メモリカードＢはスライダー４を移動させつつ挿入される。メモリカード裏面の複数の接続端子１２群の両側には、接続端子のコンタクト６との接触がスムーズに行えるように、肉厚部１１（斜線部）が設けられている。図１１（ｂ）に示す状態になると、肉厚部１１がコンタクト６に衝突してしまい、そのコンタクト６を変形させる、といった不具合が生じる。さらに、スライダー４がもう少し押し込まれると、ロックがかかり、メモリカードＢを抜いても、ロック状態となる。また、ストッパ２ｃ，２ｄにメモリカードＢの側面が引っ掛かり、カードが抜けなくなるといったトラブルが生じる虞もある。
【０００８】
本発明は、上記問題点に鑑みて成されたものであり、部品点数を増やすことなく簡単な構成により、メモリカードが傾いて押し込まれることを未然に防止し、かつ、コンタクトが変形したりするのを抑制でき、スライダーが不用意にロックされたりすることを防止できるメモリカード用ソケットを提供することを目的とする。
【課題を解決するための手段】
【０００９】
上記目的を達成するために、請求項１の発明は、一側面が開口した扁平な箱形に形成され、開口からメモリカードがスライドして挿抜されるハウジングと、ハウジングに保持され、回路基板の導電パターンに電気的に接続されると共にメモリカードに設けた接続端子に接触する複数本のコンタクトを持つ端子板ブロックと、ハウジング内においてスプリングにより前方に付勢され、挿抜されるメモリカードを保持してスライド移動するスライダーとを備えたメモリカード用ソケットにおいて、前記ハウジングは、互いに被着されるシェルとベースシェルとから構成され、該ベースシェルの両側壁の開口端側に、両側壁から幅方向内方に延伸され、前記スライダーの抜け止めを図るストッパが一体的に設けられ、前記スライダーは、メモリカード幅と略同等の内幅を持つ両側壁を持ち、両側壁の開口端側に入口案内テーパが形成されており、前記ストッパは、前記スライダーの内幅と同等の幅まで延伸され、該ストッパの先端側を内方に曲げて前記スライダーの入口案内テーパに沿わせるような形状にしたものである。
【００１０】
請求項２の発明は、上記において、メモリカードは、その前端寄りの片側を落として逆差し防止用の切欠部を持ち、前端寄り裏面に接続端子が設けられ、前記スライダーは、その両側壁が前記メモリカードの切欠部を含む外形に対応した形状とされ、かつ保持したメモリカードの裏面に配置された接続端子に対面する位置に窓が設けられた一体樹脂成形品によるものである。
【発明の効果】
【００１１】
請求項１の発明によれば、メモリカードが大きく傾いた状態のまま開口に挿入されようとしても、開口端にスライダーの内幅と同等の幅まで延伸されたストッパがあり、ストッパの先端側を内方に曲げてスライダーの入口案内テーパに沿わせるようにしていることから、メモリカードを挿入できない。そのため、メモリカードが大きく傾いたまま挿入されてコンタクトを変形させるといったことが未然に防止できる。また、メモリカードが傾いたまま押し込まれてスライダーが不用意にロックされることがなくなる。さらにまた、メモリカードが傾いてストッパに引っ掛かって抜けなくなるといったトラブルもなくなる。そして、このような作用効果が、部品点数を増やすことなく、ベースシェルに一体にストッパを設けるだけで実現できる。
【００１２】
請求項２の発明によれば、メモリカードが僅かに傾いた状態で挿入され、押し込まれたとしても、メモリカードの外形に対応した形状のスライダーの側壁をメモリカードが押していくに伴い、ストッパの存在とスライダーの側壁形状とにより、メモリカードの傾きは次第に修正される。このため、上記と同等の効果が得られる。
【発明を実施するための最良の形態】
【００１３】
本発明の実施の形態に係るメモリカード用ソケットについて図面を参照して説明する。図１はメモリカード用ソケットＡ及びメモリカードＢの外観を示し、図２はメモリカード用ソケットＡの分解状態を示す。本実施形態で用いるメモリカードＢは、ｍｉｎｉＳＤカードであって、その前端寄りの片側を落として逆差し防止用の切欠部１０を持つ。ソケットＡは一側面が開口した扁平（厚さ約２．３ｍｍ）な箱形に形成され、開口からメモリカードＢがスライドして挿抜される。
【００１４】
ソケットＡは、ハウジング１と、回路基板の導電パターンに電気的に接続されると共にメモリカードＢの前端寄り裏面に設けた接続端子１２（図５参照）に接触する複数本のコンタクト６を持つ、ハウジング１に保持された端子板ブロック７と、ハウジング１内においてスプリング５により前方に付勢され、挿抜されるメモリカードＢを保持して前後方向にスライド移動自在なスライダー４と、スライダー４及びメモリカードＢをロックするロックピン８とを備える。
【００１５】
ハウジング１は、厚さが極薄いステンレス金属板を打ち抜いたシェル３とベースシェル２とから構成され、互いに被着されることにより扁平箱状に形成され、前部にメモリカード挿入用の開口９を形成している。図３（ａ）（ｂ）に示すように、ベースシェル２の両側壁２ａ，２ｂの開口端側には、両側壁２ａ，２ｂから幅方向内方に延伸され、スライダー４の抜け止めを図るストッパ２ｃ，２ｄが一体的に設けられている。
【００１６】
スライダー４は、一体樹脂成形品であって、メモリカードＢの挿抜に伴ってハウジング１に対してスライド可能に載置され、メモリカードＢの幅と略同等の内幅を持つ両側壁４ｃ，４ｄを持ち、両側壁４ｃ，４ｄの開口端側に入口案内テーパ４ｅ，４ｆ（図４（ｂ）参照）が形成されている。スライダー４は、その両側壁がメモリカードＢの切欠部１０を含む外形に対応した形状とされ、かつ保持したメモリカードＢの裏面に配置された接続端子に対面する位置に窓４ａが設けられている。
【００１７】
ロックピン８は、スライダー４に一端が圧入されるとともに、メモリカードＢが装着された状態でメモリカードＢのロック用切欠に中間端が係合されるカードロックを持ち、他端が端子板ブロック７に係合されている。
【００１８】
図４（ａ）には、前述の背景技術において説明したソケットのベースシェル２とスライダー４を、図４（ｂ）には、本実施形態によるソケットのベースシェル２とスライダー４を、対比して示す（背景技術と本実施形態とで同部材には同符号を付しているが、形状は異なる）。図４（ａ）の背景技術におけるストッパ２ｃ，２ｄは、入口案内テーパ４ｅ，４ｆよりも外側にのみ位置する。それに対し、図４（ｂ）の本実施形態におけるストッパ２ｃ，２ｄは、スライダー４の内幅Ｄと同等の幅まで延伸され、その先端側を内方に曲げてスライダー４の入口案内テーパ４ｅ，４ｆに沿わせるような形状２ｅ，２ｆとしている。
【００１９】
上記のように構成された本実施形態に係るソケットＡにおいて、メモリカードＢの挿入時に、挿入されるメモリカードＢによってスライダー４の当接部４ｇが押されることで、スライダー４は、コイルスプリング５の付勢に抗して後方移動し、コンタクト６がメモリカードＢの裏面に設けた接続端子１２に接する所定位置で挿入力が解除されると、コイルスプリング５の付勢と、ロックピン８の軸部の係合とで、スライダー４がロックされるようなっている。
【００２０】
そして、ソケットＡに挿着したメモリカードＢを取り外す際には、一旦、メモリカードＢを挿入方向に押すことで、ハートカムとロックピン８の軸部との係合状態が解除され、その後、メモリカードＢの押す力が無くなると、コイルスプリング５の付勢力でスライダー４が前方へ移動してメモリカードＢを押し出すようになっている。
【００２１】
次に、メモリカードＢが大きく傾いた状態で開口に挿入されようとした場合の動作を図５を参照して説明する。そのような状態でメモリカードＢを挿入しようとしても、開口端にスライダー４の内幅と同等の幅まで延伸されたストッパ２ｃ，２ｄが在り、ストッパ２ｃ，２ｄの先端側を内方に曲げてスライダー４の入口案内テーパ４ｅ，４ｆに沿わせるようにしていることから（図４（ｂ）参照）、メモリカードＢを挿入できない。そのため、メモリカードＢが大きく傾いたまま挿入されて、コンタクト６を変形させるといったことが防止できる。また、メモリカードＢが傾いたまま押し込まれて、スライダー４が不用意にロックされることがなくなる。また、メモリカードＢが傾いてストッパ２ｃ，２ｄに引っ掛かって抜けなくなるといったこともなくなる。
【００２２】
次に、メモリカードＢが僅かに傾いた状態で開口に挿入されようとした場合の動作を図６及び図７を参照して説明する。図６に示すように、メモリカードＢが僅かに傾いた状態で押し込まれた場合は、メモリカードＢの前端部がスライダー４の当接部４ｇを押してゆき、挿入可能である。そのとき、ストッパ２ｄが支点となって、メモリカードＢの前端部と傾斜面でなる当接部４ｇとの接触点Ｅは滑って移動し、メモリカードＢは傾きが修正される方向に回転され、図７に示すように、メモリカードＢは傾きが修正された状態で挿入される。その結果、上述したようなメモリカードＢが傾いたまま挿入された場合の不具合発生が防止される。そして、このような作用効果が、部品点数を増やすことなく、ベースシェル２に一体にストッパ２ｃ，２ｄを設けるだけで実現できる。
【００２３】
本発明は、ベースシェル２のストッパ２ｃ，２ｄの両者に本発明を適用する必要がある。片方のストッパだけに本発明を適用した構成では、大きく傾いた状態でメモリカードＢが挿入されたとき、メモリカードＢの挿入を阻止できず、上記の効果が得られない。その様子を図８（ａ）（ｂ）に示す。ここでは、一方のストッパ２ｃは従前の構成のままであり、ストッパ２ｄだけに本発明を適用している。この場合、メモリカードＢが大きく傾いた状態で挿入されても、逆差し防止用の切欠部１０の根元辺りでスライダー４の入口案内テーパ４ｅを押し込み得る状態となり（図示のＦ部）、メモリカードＢの肉厚部１１がコンタクト６に衝突し、コンタクト６を変形させるといったことが起こり得る。
【００２４】
なお、本発明は、上述実施形態の構成に限られず、種々の変形が可能で、ハウジング１として金属シェル３と金属ベースシェル２とから構成されたものを示したが、剛性が確保できれば、金属以外の材質であっても適用可能である。
【図面の簡単な説明】
【００２５】
【図１】本発明の一実施形態に係るメモリカード用ソケット及びメモリカードの斜視図。
【図２】同メモリカード用ソケットの分解斜視図。
【図３】（ａ）はハウジングのベースシェルの前端部の平面図、（ｂ）はその正面図。
【図４】（ａ）は従来のソケットのベースシェルとスライダーの前端部の平面図、（ｂ）は本実施形態によるソケットのベースシェルとスライダー前端部の平面図。
【図５】メモリカードが大きく傾いた状態で挿入されようとした場合の動作を説明するソケットの平面図。
【図６】メモリカードが僅かに傾いた状態で挿入されようとした場合の動作を説明するソケットの平面図。
【図７】図６の状態からさらにメモリカードが挿入されたときの動作を説明するソケットの平面図。
【図８】（ａ）（ｂ）は片方のストッパだけに本発明を適用した構成では大きく傾いたメモリカードの挿入を阻止できないことを説明するソケットの平面図。
【図９】従来のメモリカード用ソケット及びメモリカードの斜視図。
【図１０】メモリカード用ソケットの分解斜視図。
【図１１】（ａ）はメモリカードを斜めに挿入し始めた状態の平面図、（ｂ）はもう少しメモリカードを押し込んだ状態の平面図。
【符号の説明】
【００２６】
Ａ  メモリカード用ソケット
Ｂ  メモリカード
Ｄ  スライダーの内幅
１  ハウジング
２  ベースシェル
２ａ，２ｂ  ベースシェルの側壁
２ｃ，２ｄ  ストッパ
２ｅ，２ｆ  スライダーの入口案内テーパに沿わせたストッパの形状
３  シェル
４  スライダー
４ａ  スライダーの窓
４ｃ，４ｄ  スライダーの側壁
４ｅ，４ｆ  スライダーの入口案内テーパ
５  コイルスプリング
６  コンタクト
７  端子板ブロック
９  メモリカード挿入用の開口
１０  逆差し防止用の切欠部
１２  接続端子
【図１】
2005353517.tif 000003
【図２】
2005353517.tif 000004
【図３】
2005353517.tif 000005
【図４】
2005353517.tif 000006
【図５】
2005353517.tif 000007
【図６】
2005353517.tif 000008
【図７】
2005353517.tif 000009
【図８（ａ）】
2005353517.tif 000010
【図８（ｂ）】
2005353517.tif 000011
【図９】
2005353517.tif 000012
【図１０】
2005353517.tif 000013
【図１１（ａ）】
2005353517.tif 000014
【図１１（ｂ）】
2005353517.tif 000015